(57)【要約】【課題】構成部材どうしを立体形状に繋ぎ合わせるための縫着作業が不要で、ポケットなどを取り付けるための縫着作業もし易くなり、また素材の成形加工も不要とした道具入れを提供する。【解決手段】使用者の腰下げベルトＢへの吊下げ部Ｈを設けた収納ケース１の正面壁１ａおよび両側面壁１ｂ、１ｂに、平坦状で折曲げ可能に形成し、ポケット６を設けた外装体２を添わせるようにして、着脱自在に装着したものとしている。【選択図】 図２
2011104734.tif 000002
【特許請求の範囲】
【請求項１】
使用者の腰下げベルト（Ｂ）への吊下げ部（Ｈ）を設けた収納ケース（１）の正面壁（１ａ）および両側面壁（１ｂ、１ｂ）に、平坦状で折曲げ可能に形成し、ポケット（６）を設けた外装体（２）を添わせるようにして、着脱自在に装着したことを特徴とする道具入れ。
【請求項２】
前記外装体（２）を、平坦状で略四角形状の生地からなるものとしており、横方向に設けた折曲げ部（５）より下の部分において、中間部を正面壁当て部（２ａ）とし、両側部を両側面壁当て部（２ｂ、２ｂ）とし、前記折曲げ部（５）より上の部分において、中間部を正面壁折返し部（２ｃ）とし、両側部を両側面壁折返し部（２ｄ、２ｄ）としたことを特徴とする請求項１記載の道具入れ。
【請求項３】
前記外装体（２）を、平坦状で略四角形状の生地からなるものとしており、中間部を正面壁当て部（２ａ）とし、両側部を両側面壁当て部（２ｂ、２ｂ）とし、これら正面壁当て部（２ａ）および両側面壁当て部（２ｂ、２ｂ）のそれぞれの裏面の上部に、フック体（２ｅ）を取り付けたことを特徴とする請求項１記載の道具入れ。
【請求項４】
前記外装体（２）に、前記収納ケース（１）の背面壁（１ｃ）に添わせるようにした止めベルト（７）、および前記収納ケース（１）の底面部（１ｄ）に添わせるようにした止めベルト（８）を設けたことを特徴とする請求項１〜３のいずれかに記載の道具入れ。
【請求項５】
前記外装体（２）の正面壁当て部（２ａ）と両側面壁当て部（２ｂ、２ｂ）とのそれぞれの境界部に、前記折曲げ部（５）から下方にかけて開口した、スリット孔（１１）を設けたことを特徴とする請求項２記載の道具入れ。
【発明の詳細な説明】
【技術分野】
【０００１】
この発明は、電気工事や建築工事等において、配線器具、金物、補修・結束具、ビット、釘、ネジ類などの工事に必要な各種材料や、ドライバー、スパナ、ペンチ、ナイフなどの作業工具類を収納する道具入れに関するものである。
【背景技術】
【０００２】
従来、この種の道具入れとしては、例えば、図１２、１３に示したようなものが存在する。この道具入れは、上面開口で箱状体とした収納ケース２１と、上面開口で袋状体とし、使用者の腰下げベルトＢへの吊下げ部Ｈを設けた外装体２２とからなり、前記収納ケース２１を前記外装体２２に挿脱自在として保持したものとしている（特許文献１）。
【０００３】
このように構成された道具入れにおいて、前記収納ケース２１は、ビット、釘、ナイフなどの鋭利な物品を収納した場合に、これら物品の鋭利な部分が接触したとしても、損傷し難い合成樹脂等からなるものとしている。
【０００４】
さらに、前記外装体２２は、帆布、天然皮革、合成皮革、合成樹脂、合成繊維、またはこれらの材料を組み合わせた複合材料などの形態保持可能または形態保持不可能な素材からなるものとしている。そして、この外袋体２２の前面や側面には、ドライバー、スパナ、ペンチなどの各種の工具を収納するポケット２３が設けられている。
【先行技術文献】
【特許文献】
【０００５】
【特許文献１】特開平２００７−４４８４２号公報
【発明の概要】
【発明が解決しようとする課題】
【０００６】
しかしながら、上記従来の道具入れでは、前記外装体２２を袋状に形成しているため、その正面部２２ａ、両側面部２２ｂ、２２ｂ、底面部２２ｃおよび背面部２２ｄの構成部材どうしを立体形状に繋ぎ合わせたりするための縫着作業や、ポケット２３などを取り付けるための縫着作業が困難となり、製造し難く、製造コストが高くなってしまうという問題点を有していた。
【０００７】
さらに、上記従来の道具入れでは、前記外装体２２を形態保持不可能な素材からなるものとした場合には、これら素材の成形加工は特に必要とされないが、前記外装体２２を形態保持可能な素材からなるものとした場合には、これら素材の成形加工が必要とされ、また前記構成部材どうしを繋ぎ合わせるための縫着作業が特に困難となり、製造し難く、製造コストが高くなってしまうという問題点を有していた。
【０００８】
そこで、この発明は、上記従来の問題点を解決することをその課題としており、構成部材どうしを立体形状に繋ぎ合わせるための縫着作業が不要で、ポケットなどを取り付けるための縫着作業もし易くなり、また素材の成形加工も不要とした道具入れを提供することを目的としてなされたものである。
【課題を解決するための手段】
【０００９】
そのため、この発明の道具入れは、使用者の腰下げベルトＢへの吊下げ部Ｈを設けた収納ケース１の正面壁１ａおよび両側面壁１ｂ、１ｂに、平坦状で折曲げ可能に形成し、ポケット６を設けた外装体２を添わせるようにして、着脱自在に装着したものとしている。
【００１０】
さらに、この発明の道具入れは、前記外装体２を、平坦状で略四角形状の生地からなるものとしており、横方向に設けた折曲げ部５より下の部分において、中間部を正面壁当て部２ａとし、両側部を両側面壁当て部２ｂ、２ｂとし、前記折曲げ部５より上の部分において、中間部を正面壁折返し部２ｃとし、両側部を両側面壁折返し部２ｄ、２ｄとしている。
【００１１】
また、この発明の道具入れは、前記外装体２を、平坦状で略四角形状の生地からなるものとしており、中間部を正面壁当て部２ａとし、両側部を両側面壁当て部２ｂ、２ｂとし、これら正面壁当て部２ａおよび両側面壁当て部２ｂ、２ｂのそれぞれの裏面の上部に、フック体２ｅを取り付けたものとしている。
【００１２】
さらに、この発明の道具入れは、前記外装体２に、前記収納ケース１の背面壁１ｃに添わせるようにした止めベルト７、および前記収納ケース１の底面部１ｄに添わせるようにした止めベルト８を設けたものとしている。
【００１３】
また、この発明の道具入れは、前記外装体２の正面壁当て部２ａと両側面壁当て部２ｂ、２ｂとのそれぞれの境界部に、前記折曲げ部５から下方にかけて開口した、スリット孔１１を設けたものとしている。
【発明の効果】
【００１４】
この発明の道具入れは、以上に述べたように構成されており、構成部材どうしを立体形状に繋ぎ合わせるための縫着作業が不要で、ポケットなどを取り付けるための縫着作業もし易くなり、また素材の成形加工も不要としたので、製造し易く、製造コストが高くつかないものとなる。
【００１５】
さらに、この発明の道具入れは、電気工事や建築工事等の作業内容に応じ、外装体を着せ替えのようにして取り替えることができ、色々な収納スタイルに簡単に変更することができるものとなる。
【図面の簡単な説明】
【００１６】
【図１】この発明の道具入れの収納ケースの斜視図である。
【図２】この発明の道具入れの一例として示した外装体の展開状態を正面側から見た斜視図である。
【図３】この発明の道具入れの一例として示した外装体の折り曲げ状態を正面側から見た斜視図である。
【図４】この発明の道具入れの一例として示した外装体の展開状態を背面側から見た斜視図である。
【図５】この発明の道具入れの一例として示した外装体の折り曲げ状態を背面側から見た斜視図である。
【図６】この発明の道具入れの他の例として示した外装体の展開状態を正面側から見た斜視図である。
【図７】この発明の道具入れの他の例として示した外装体の折り曲げ状態を正面側から見た斜視図である。
【図８】この発明の道具入れの他の例として示した外装体の展開状態を背面側から見た斜視図である。
【図９】この発明の道具入れの他の例として示した外装体の折り曲げ状態を背面側から見た斜視図である。
【図１０】この発明の道具入れの一例の使用状態を示す斜視図である。
【図１１】この発明の道具入れの他の例の使用状態を示す斜視図である。
【図１２】従来の道具入れの一例を示す分解斜視図である。
【図１３】図１２に示す従来の道具入れの収納ケースを外装体に保持した状態を示す斜視図である。
【発明を実施するための形態】
【００１７】
以下、この発明の道具入れの実施の形態を、図面に基づいて詳細に説明する。
【００１８】
この発明の道具入れは、使用者の腰下げベルトＢへの吊下げ部Ｈを設けた収納ケース１の正面壁１ａおよび両側面壁１ｂ、１ｂに、平坦状で折曲げ可能に形成し、ポケット６を設けた外装体２を添わせるようにして、着脱自在に装着したものとしている。
【００１９】
前記収納ケース１は、図１に示したように、上面を開口した箱状体としており、形態保持可能で、正面壁１ａ、両側面壁１ｂ、１ｂ、背面壁１ｃおよび底面部１ｄからなるものとしている。そして、この収納ケース１は、ビット、釘、ナイフ等の鋭利な物品を収納した場合に、これらの物品の鋭利な部分が接触したとしても、損傷し難い合成樹脂等からなるものとしている。
【００２０】
さらに、前記収納ケース１には、背面壁１ｃと一体として前記吊下げ部Ｈを設けたものとしている。この吊下げ部Ｈには、腰下げベルトＢの通し孔４を横方向に設けたものとしている。なお、前記吊下げ部Ｈは、収納ケース１とは別体としたものを、この収納ケース１の背面壁１ｃに取り付けたものとしてもよい。
【００２１】
前記外装体２は、図２〜５に示したものでは、綿や麻などの天然繊維、ナイロン、ポリエステル、アクリルなどの合成繊維、レーヨンなどの再生繊維等からなる平坦状で略四角形状の生地からなるものとしており、折曲げ可能に形成したものとしている。そして、前記外装体２は、中間より上の位置に折曲げ部５を横方向に設け、この折曲げ部５より下の部分において、中間部を正面壁当て部２ａとし、両側部を両側面壁当て部２ｂ、２ｂとしており、折曲げ部５より上の部分において、中間部を正面壁折返し部２ｃとし、両側部を両側面壁折返し部２ｄ、２ｄとしている。
【００２２】
前記外装体２の正面壁当て部２ａや両側面壁当て部２ｂ、２ｂには、ドライバー、スパナ、ペンチなどの各種の工具を収納するようにした前記ポケット６がそれぞれ設けられている。さらに、前記外装体２の両側面壁当て部２ｂ、２ｂの外側端には、前記収納ケース１の背面壁１ｃに添わせるようにした止めベルト７をそれぞれ設けたものとし、前記外装体２の両側面壁当て部２ｂ、２ｂの下端には、前記収納ケース１の底面部１ｄに添わせるようにした止めベルト８をそれぞれ設けたものとしている。
【００２３】
前記止めベルト７は、図示したように、一方の止めベルト７の端部には面接着ファスナーおよびホックのような着脱自在とした止着手段９の雄体側９ａを設け、もう一方の止めベルト７の端部にはこの止着手段９の雌体側９ｂを設けたものとし、この止着手段９によって止めベルト７どうしが弛まないように接着して、前記収納ケース１の背面壁１ｃに添わせた状態にしておけるようにしている。さらに、前記止めベルト８は、図示したように、一方の止めベルト８の端部には面接着ファスナーおよびホックのような着脱自在とした止着手段１０の雄体側１０ａを設け、もう一方の止めベルト８の端部にこの止着手段１０の雌体側１０ｂを設けたものとし、この止着手段１０によって止めベルト８どうしが弛まないように接着して、前記収納ケース１の底面部１ｄに添わせた状態にしておけるようにしている。
【００２４】
なお、前記止めベルト７は、図示していないが、一対の帯状とした面接着ファスナーからなるものとし、一方の止めベルト７をその面接着ファスナーの雄体側とし、他方の止め
ベルト７をその面接着ファスナーの雌体側とし、面接着ファスナーどうしが弛まないように接着して、前記収納ケース１の背面壁１ｃに添わせた状態にしておけるようにしてもよい。さらに、前記止めベルト８も、図示していないが、一対の帯状とした面接着ファスナーからなるものとし、一方の止めベルト８をその面接着ファスナーの雄体側とし、他方の止めベルト８をその面接着ファスナーの雌体側とし、面接着ファスナーどうしが弛まないように接着して、前記収納ケース１の底面部１ｄに添わせた状態にしておけるようにしてもよい。
【００２５】
また、前記外装体２の正面壁当て部２ａと両側面壁当て部２ｂ、２ｂとのそれぞれの境界部に、前記折曲げ部５から下方にかけて開口した、スリット孔１１を設けたものとしている。これらのスリット孔１１は、前記収納ケース１の正面壁１ａの内側や両側面壁１ｂ、１ｂの内側に、前記外装体２の正面壁折返し部２ｃや両側面壁折返し部２ｄ、２ｄを折り返した場合に広げられて、これらの広げられたスリット孔１１内に、前記収納ケース１の上周端の角部Ｃを逃がすことにより、これら正面壁折返し部２ｃや両側面壁折返し部２ｄ、２ｄを、収納ケース１の正面壁１ａの内側や両側面壁１ｂ、１ｂの内側に折り返し易いようにしている。
【００２６】
そして、この発明の道具入れは、外装体２を図２、４に示したように広げた状態から、図３、５に示したように折り曲げた状態にして、収納ケース１の正面壁１ａに外装体２の正面壁当て部２ａを添わせ、収納ケース１の両側面壁１ｂ、１ｂに外装体２の両側面壁当て部２ｂ、２ｂを添わせると共に、収納ケース１の正面壁１ａの内側や両側面壁１ｂ、１ｂの内側に、外装体２の正面壁折返し部２ｃや両側面壁折返し部２ｄ、２ｄをそれぞれ折り返す。そして、前記外装体２の止めベルト７どうしを弛まないように接着して、前記収納ケース１の背面壁１ｃに添わせた状態にすると共に、前記外装体２の止めベルト８どうしを弛まないように接着して、前記収納ケース１の底面部１ｄに添わせた状態にする。すると、外装体２は、図６に示したように、収納ケース１から外れない状態として、この収納ケース１に装着されることになる。
【００２７】
前記外装体２は、図７〜１０に示したものでは、綿や麻などの天然繊維、ナイロン、ポリエステル、アクリルなどの合成繊維、レーヨンなどの再生繊維等からなる平坦状で略四角形状の生地からなるものとしており、折曲げ可能に形成したものとしている。そして、前記外装体２は、中間部を正面壁当て部２ａとし、両側部を両側面壁当て部２ｂ、２ｂとしており、正面壁当て部２ａおよび両側面壁当て部２ｂ、２ｂのそれぞれの裏面の上部に、フック体２ｅを縫製およびリベット止めするなどして取り付けたものとしている。前記フック体２ｅは、金属板や合成樹脂板を鉤状に折り曲げたものとしており、収納ケース１の正面壁１ａや側面壁１ｂに引っ掛けておけるようにしている。
【００２８】
前記外装体２の正面壁当て部２ａや両側面壁当て部２ｂ、２ｂには、ドライバー、スパナ、ペンチなどの各種の工具を収納するようにした前記ポケット６がそれぞれ設けられている。さらに、前記外装体２の両側面壁当て部２ｂ、２ｂの外側端には、前記収納ケース１の背面壁１ｃに添わせるようにした止めベルト７をそれぞれ設けたものとし、前記外装体２の両側面壁当て部２ｂ、２ｂの下端には、前記収納ケース１の底面部１ｄに添わせるようにした止めベルト８をそれぞれ設けたものとしている。
【００２９】
前記止めベルト７は、図示したように、一方の止めベルト７の端部には面接着ファスナーおよびホックのような着脱自在とした止着手段９の雄体側９ａを設け、もう一方の止めベルト７の端部にはこの止着手段９の雌体側９ｂを設けたものとし、この止着手段９によって止めベルト７どうしが弛まないように接着して、前記収納ケース１の背面壁１ｃに添わせた状態にしておけるようにしている。さらに、前記止めベルト８は、図示したように、一方の止めベルト８の端部には面接着ファスナーおよびホックのような着脱自在とした
止着手段１０の雄体側１０ａを設け、もう一方の止めベルト８の端部にこの止着手段１０の雌体側１０ｂを設けたものとし、この止着手段１０によって止めベルト８どうしが弛まないように接着して、前記収納ケース１の底面部１ｄに添わせた状態にしておけるようにしている。
【００３０】
なお、前記止めベルト７は、図示していないが、一対の帯状とした面接着ファスナーからなるものとし、一方の止めベルト７をその面接着ファスナーの雄体側とし、他方の止めベルト７をその面接着ファスナーの雌体側とし、面接着ファスナーどうしが弛まないように接着して、前記収納ケース１の背面壁１ｃに添わせた状態にしておけるようにしてもよい。さらに、前記止めベルト８も、図示していないが、一対の帯状とした面接着ファスナーからなるものとし、一方の止めベルト８をその面接着ファスナーの雄体側とし、他方の止めベルト８をその面接着ファスナーの雌体側とし、面接着ファスナーどうしが弛まないように接着して、前記収納ケース１の底面部１ｄに添わせた状態にしておけるようにしてもよい。
【００３１】
そして、この発明の道具入れは、外装体２を図７、９に示したように広げた状態から、図８、１０に示したように折り曲げた状態にして、収納ケース１の正面壁１ａに外装体２の正面壁当て部２ａを添わせ、収納ケース１の両側面壁１ｂ、１ｂに外装体２の両側面壁当て部２ｂ、２ｂを添わせると共に、正面壁当て部２ａおよび両側面壁当て部２ｂ、２ｂのそれぞれの裏面の上部に取り付けたフック体２ｅを、収納ケース１の正面壁１ａや側面壁１ｂに引っ掛ける。そして、前記外装体２の止めベルト７どうしを弛まないように接着して、前記収納ケース１の背面壁１ｃに添わせた状態にすると共に、前記外装体２の止めベルト８どうしを弛まないように接着して、前記収納ケース１の底面部１ｄに添わせた状態にする。すると、外装体２は、図１１に示したように、収納ケース１から外れない状態として、この収納ケース１に装着されることになる。
【００３２】
以上のように構成したこの発明の道具入れは、外装体２を、従来のように袋状体とした立体形状ではなく、平坦状で折り曲げ可能に形成したものとしているので、構成部材どうしを立体形状に繋ぎ合わせる必要もなく、また平坦状とした外装体２にはポケット６などを取り付けるための縫着作業も簡単なものとなり、製造がし易く、製造コストも高くつかないものとなる。
【００３３】
さらに、この発明の道具入れは、収納ケース１への外装体２の着脱操作が簡単なものとなり、電気工事や建築工事等の作業内容に応じ、外装体２を着せ替えのようにして取り替えることができ、色々な収納スタイルに簡単に変更することができるものとなる。
【符号の説明】
【００３４】
１  収納ケース
１ａ  正面壁
１ｂ  側面壁
１ｃ  背面壁
１ｄ  底面壁
２  外装体
２ａ  正面壁当て部
２ｂ  側面壁当て部
２ｃ  正面壁折返し部
２ｄ  側面壁折返し部
５  折曲げ部
６  ポケット
７  止めベルト
８  止めベルト
１１  スリット
Ｂ  腰下げベルト
Ｈ  吊下げ部
【図１】
2011104734.tif 000003
【図２】
2011104734.tif 000004
【図３】
2011104734.tif 000005
【図４】
2011104734.tif 000006
【図５】
2011104734.tif 000007
【図６】
2011104734.tif 000008
【図７】
2011104734.tif 000009
【図８】
2011104734.tif 000010
【図９】
2011104734.tif 000011
【図１０】
2011104734.tif 000012
【図１１】
2011104734.tif 000013
【図１２】
2011104734.tif 000014
【図１３】
2011104734.tif 000015